(57)【要約】【課題】本発明は固定リソース割り当てシグナリンクの送信及び受信方法を提供する。【解決手段】以上の送信方法において、基地局がダウンリンクチャネルを介して端末に固定リソース割り当てシグナリンクを送信し、アドバンストマップメッセージＡ−ＭＡＰの作用範囲によって、固定リソース割り当てシグナリンクに端末に割当てた固定リソースを解除するための固定リソース割当解除情報を運ぶ。本発明によると、シグナリングオーバーヘッドの節約を図ることができる。【選択図】図２
2013500647.tif 000002
【特許請求の範囲】
【請求項１】
基地局がダウンリンクチャネルを介して端末に固定リソース割当シグナリングを送信し、アドバンストマップメッセージＡ−ＭＡＰの作用範囲によって前記固定リソース割当シグナリングに前記端末に割当てた固定リソースを解除するための固定リソース割当解除情報を運ぶことを含むことを特徴とする固定リソース割当シグナリングの送信方法。
【請求項２】
アドバンストマップメッセージＡ−ＭＡＰの作用範囲によって前記固定リソース割当シグナリングに固定リソース割当解除情報を運ぶことは、
Ａ−ＭＡＰメッセージの作用範囲が一つのサブフレームである場合、前記固定リソース割当解除情報に割当解除操作指示情報を運ぶことと、
Ａ−ＭＡＰメッセージの作用範囲が一つのサブフレームである場合、前記固定リソース割当解除情報に、割当解除操作指示情報、割当解除をする固定リソースの長さを指示するための長い伝送時間間隔指示情報Ｌｏｎｇ  ＴＴＩ  Ｉｎｄｉｃａｔｏｒを運ぶことと、
Ａ−ＭＡＰメッセージの作用範囲が一つのサブフレームである場合、前記固定リソース割当解除情報に、割当解除操作指示情報、混合自動再送要求フィードバック割当ＨＦＡ情報を運ぶことと、
Ａ−ＭＡＰメッセージの作用範囲が一つのサブフレームである場合、前記固定リソース割当解除情報に、割当解除操作指示情報、Ｌｏｎｇ  ＴＴＩ  Ｉｎｄｉｃａｔｏｒ、ＨＦＡ情報を運ぶことと、
前記Ａ−ＭＡＰメッセージの作用範囲が複数のサブフレームである場合、前記固定リソース割当解除情報に、割当解除操作指示情報、ＨＦＡ情報、リソース割り当てメッセージを運ぶこと、または割当解除操作指示情報、ＨＦＡ情報、Ｌｏｎｇ  ＴＴＩ  Ｉｎｄｉｃａｔｏｒ、リソース割当情報を運ぶことと
を少なくとも一つ含むことを特徴とする請求項１に記載の固定リソース割当シグナリングの送信方法。
【請求項３】
前記Ａ−ＭＡＰメッセージに、一つのアップリンクサブフレームの制御情報、複数のアップリンクサブフレームの制御情報、一つのダウンリンクサブフレームの制御情報、複数のダウンリンクサブフレームの制御情報を少なくとも一つ含むことを特徴とする請求項２に記載の固定リソース割当シグナリングの送信方法。
【請求項４】
前記Ａ−ＭＡＰメッセージの作用範囲とは、Ａ−ＭＡＰメッセージに含まれる制御情報を含むサブフレームの数であることを特徴とする請求項２に記載の固定リソース割当シグナリングの送信方法。
【請求項５】
前記Ａ−ＭＡＰメッセージの作用範囲が一つのサブフレームであるというのは、前記Ａ−ＭＡＰメッセージに一つのダウンリンクサブフレームの制御情報及び／または一つのアップリンクサブフレームの制御情報を含むことであり、
前記Ａ−ＭＡＰメッセージの作用範囲が複数のサブフレームであるというのは、前記Ａ−ＭＡＰメッセージに複数のダウンリンクサブフレームの制御情報及び／または複数のアップリンクサブフレームの制御情報を含むことである
ことを特徴とする前記請求項４に記載の固定リソース割当シグナリングの送信方法。
【請求項６】
前記ＨＦＡ情報に前記端末に割当てる前記基地局から送信した前記固定リソース割当解除情報をリスポンスするためのフィードバックチャネル情報を含むことを特徴とする請求項２に記載の固定リソース割り当てシグナリンクの送信方法。
【請求項７】
前記リソース割当情報に、固定割当を解除するリソースの位置情報、固定割当を解除するリソースのタイプ、固定割当を解除するリソースのサイズを少なくとも一つ含むことを特徴とする請求項２に記載の固定リソース割当シグナリングの送信方法。
【請求項８】
前記固定割当を解除するリソースの位置情報には、固定割当を解除するリソースがあるサブフレームの番号、固定割当を解除するリソースの初期位置情報、固定割当を解除するリソースの終了位置情報を少なくとも一つ含むことを特徴とする請求項７に記載の固定リソース割り当てシグナリンクの送信方法。
【請求項９】
前記割当解除をする固定リソースの長さには、割当解除をする固定リソースが一つのサブフレームにあること、割当解除をする固定リソースがＮ（Ｎは１より大きい正の整数である）個のサブフレームに分布していることを含むことを特徴とする請求項２に記載の固定リソース割り当てシグナリンクの送信方法。
【請求項１０】
端末は基地局からの前記端末に割当てた固定リソースを解除するための前記固定リソース割当解除情報を運んでいる固定リソース割当シグナリングをデコードすることと、
前記端末はアドバンストマップメッセージＡ−ＭＡＰの作用範囲と前記固定リソース割当解除情報によって後続の固定リソース割当解除操作を実行することと
を特徴とする固定リソース割り当てシグナリンクの受信方法。
【請求項１１】
前記後続固定リソース割当解除操作とは、
前記端末がＡ−ＭＡＰメッセージの作用範囲を確定することと、
前記Ａ−ＭＡＰメッセージの作用範囲が一つのサブフレームである場合、
前記端末が前記Ａ−ＭＡＰメッセージがある現在のサブフレームで固定リソース割当解除操作を実行し、
前記固定リソース割当解除情報の中のＨＦＡ情報をデコードし、フィードバック情報を取得して、前記フィードバックチャネル情報の該当するフィードバックチャネルで前記基地局にフィードバックメッセージを送信することと、
前記Ａ−ＭＡＰメッセージの作用範囲が一つサブフレームより大きい場合、
前記端末は前記固定リソース割当解除情報におけるリソース割当情報をデコードし、割当解除をするリソースの位置を確定して、確定された割当解除をする固定リソースの位置で固定リソース割当解除操作を実行し、
前記端末は前記固定リソース割当解除情報におけるＨＦＡ情報をデコードし、フィードバックチャネル情報を取得して、前記フィードバックチャネル情報の該当するフィードバックチャネルで前記基地局にフィードバックメッセージを送信することと
を含むことを特徴とする請求項１０に記載の固定リソース割り当てシグナリンクの受信方法。
【請求項１２】
前記後続固定リソース割当解除操作とは
前記端末はＡ−ＭＡＰメッセージの作用範囲を確定することと、
前記Ａ−ＭＡＰメッセージの作用範囲が一つのサブフレームである場合、
前記端末が前記固定リソース割当解除情報におけるＬｏｎｇ  ＴＴＩ  Ｉｎｄｉｃａｔｏｒ情報をデコードし、割当解除をする固定リソースの長さを確定して、確定された割当解除をする固定リソースの長さによって固定リソース割当解除操作を実行し、
前記固定リソース割当解除情報におけるＨＦＡ情報をデコードし、フィードバックチャネル情報を取得して、前記フィードバックチャネル情報が該当するフィードバックチャネルで前記基地局にフィードバックメッセージを送信することと
を含むことを特徴とする請求項１０に記載の固定リソース割り当てシグナリンクの受信方法。
【発明の詳細な説明】
【技術分野】
【０００１】
本発明は通信領域、具体的に、固定リソース割当シグナリングの送信及び受信方法に関する。
【背景技術】
【０００２】
無線通信システムにおいて、基地局と設備の間は端末から基地局へのアップリンク（逆側）／基地局から端末へのダウンリンク（前側）を介して通信を行う。通常の応用において、複数の端末がアップリンクを介して同時に基地局にデーターを送信することもできるし、ダウンリンクを介して同時に基地局からデーターを受信することもできる。
【０００３】
基地局によってスケジューリング制御をするデーター伝送システムにおいて、基地局からダウンリンク伝送されるダウンリンクリソース及び端末からアップリンク伝送されるアップリンクリソースを含むシステムリソースのスケジューリング割り当ては通常基地局によって行う。
【０００４】
現在、無線通信システムの制御オーバーヘッドを低減し、システム全体のスループットを高めるため、固定リソース割り当て技術がよく採用される。該技術によって、特定伝送期間を持ち、パケットの長さが相対的に固定化している端末リソース割当に対する記述オーバーヘッドの低減と、それに運ぶシステムパフォーマンスの向上が図られる。リソース割り当ての過程は、一般的に、メッセージの定義、リソースの割当解除、リソース再配分などの操作を含めている。
【０００５】
基準ＩＥＥＥ８０２．１６を例として、基地局はアドバンストマップ（Ａｄｖａｎｃｅｄ  ＭＡＰ，Ａ−ＭＡＰと略称）の中の固定リソース割当情報（固定リソース割当シグナリングともいう）Ｐｅｒｓｉｓｔｅｎｔ  Ａ−ＭＡＰ  ＩＥを介して、Ｋ番目のフレームで端末（Ｍｏｂｉｌｅ  Ｓｔａｔｉｏｎ）ＭＳ−Ａに固定リソースＰＡ１を割当て、割り当て期間がＬフレーム（Ｌ＝４フレームと仮定する）であり、つまり図１に示す通り、ＭＳ−Ａがｋ番目のフレーム、（ｋ＋４）番目のフレーム、…（ｋ＋Ｎ＊４）番目のフレームで基地局によって割り当てられた固定リソースを利用するということである。基地局がＭＳ−Ａに割当てた固定リソースＰＡ１を取り消しようとする場合、つまり固定リソース割当解除操作をしようと場合、該Ｐｅｒｓｉｓｔｅｎｔ  Ａ−ＭＡＰ  ＩＥがリソース割当解除操作であるかを指示する割当解除操作指示情報、固定割当を解除する資源のタイプ、位置及びサイズを含むＲｅｓｏｕｒｃｅ  Ａｌｌｏｃａｔｉｏｎ情報、及びＭＳ−Ａに割当てた基地局から送信した割当解除メッセージをレスポンスするためのフィードバックチャネル情報を含むＨＦＡ（ＨＡＲＱ  Ｆｅｅｄｂａｃｋ  Ａｌｌｏｃａｔｉｏｎ，ＨＡＲＱフィードバック割当）情報を少なくとも一つ含むＰｅｒｓｉｓｔｅｎｔ  Ａ−ＭＡＰ  ＩＥを介して、リソース割当解除操作を実行する。
【０００６】
以上記述したシグナリング設計方法はシグナリングオーバーヘッドの無駄遣いという問題がある。
【発明の概要】
【発明が解決しようとする課題】
【０００７】
関係技術において固定リソース割当解除操作のシグナリングオーバーヘッドが大きいという問題があることを考え、本発明を提出する。本発明は改良された固定リソース割当シグナリングの伝送方案を提供し、上記の問題を解決することを目的とする。
【課題を解決するための手段】
【０００８】
以上の目的を実現するため、本発明の一つの方面によると、基地局からダウンリンクチャネルを介して端末に固定リソース割り当てシグナリングを送信し、アドバンストマップメッセージＡ−ＭＡＰの作用範囲によって、固定リソース割当シグナリングに端末に割り当てた固定リソースを解除する固定リソース割当解除情報を運ぶという固定リソース割当シグナリングの送信方法を提供する。
【０００９】
上記アドバンストマップメッセージＡ−ＭＡＰの作用範囲によって、固定リソース割当シグナリングに固定リソース割当解除情報を運ぶということは、
Ａ−ＭＡＰメッセージの作用範囲が一つのサブフレームである場合、固定リソース割当解除情報に割当解除操作指示情報を運ぶ操作と、
Ａ−ＭＡＰメッセージの作用範囲が一つのサブフレームである場合、固定リソース割当解除情報に割当解除操作指示情報、Ｌｏｎｇ  ＴＴＩ  Ｉｎｄｉｃａｔｏｒを運ぶ操作と、
Ａ−ＭＡＰメッセージの作用範囲が一つのサブフレームである場合、固定リソース割当解除情報に割当解除操作指示情報、ＨＦＡ情報を運ぶ操作と、
Ａ−ＭＡＰメッセージの作用範囲が一つのサブフレームである場合、固定リソース割当解除情報に割当解除操作指示情報、Ｌｏｎｇ  ＴＴＩ  Ｉｎｄｉｃａｔｏｒ、ＨＦＡ情報を運ぶ操作と、
Ａ−ＭＡＰメッセージの作用範囲が複数のサブフレームである場合、固定リソース割当解除情報に、割当解除操作指示情報、ＨＦＡ情報とリソース割当情報、或いは、割当解除操作指示情報、ＨＦＡ情報、Ｌｏｎｇ  ＴＴＩ  Ｉｎｄｉｃａｔｏｒとリソース割当情報を運ぶ操作とを少なくとも一つ含むことが好ましい。
【００１０】
Ａ−ＭＡＰメッセージがアドバンストマップメッセージである場合、一つのアップリンクサブフレーム制御情報、複数のアップリンクサブフレームの制御情報、一つのダウンリンクサブフレームの制御情報或いは複数のダウンリンクサブフレームの制御情報を少なくとも一つ含むことが好ましい。
【００１１】
Ａ−ＭＡＰメッセージの作用範囲とはＡ−ＭＡＰメッセージに含まれる制御情報を含むサブフレームの数ということであることが好ましい。
【００１２】
Ａ−ＭＡＰメッセージの作用範囲が一つのサブフレームであるというのはＡ−ＭＡＰメッセージに一つのダウンリンクサブフレームの制御情報及び／または一つのアップリンクサブフレームの制御情報を含むことであり、Ａ−ＭＡＰメッセージの作用範囲が複数のサブフレームというのはＡ−ＭＡＰメッセージに複数のダウンリンクサブフレームの制御情報及び／または複数のアップリンクの制御情報を含むことであることが好ましい。
【００１３】
ＨＦＡ情報に端末に割当てる基地局からの固定リソース割当解除情報をリスポンスするためのフィードバックチャネル情報を含むことが好ましい。
【００１４】
リソース割当情報に固定割当を解除するリソースの位置情報、固定割当を解除するリソースのタイプ、固定割当を解除するリソースのサイズを少なくとも一つ含むことが好ましい。
【００１５】
固定割当を解除するリソースの位置情報には固定割当を解除するリソースのあるサブフレームの番号、固定割当を解除するリソースの初期位置情報、固定割当を解除するリソースの終了位置情報を少なくとも一つ含むことが好ましい。
【００１６】
Ｌｏｎｇ  ＴＴＩ  Ｉｎｄｉｃａｔｏｒは割当解除をする固定リソースの長さを指示することが好ましい。
【００１７】
割当解除をする固定リソースの長さには、割当解除をする固定リソースが一つのサブフレームにあること、割当解除をする固定リソースがＮ（Ｎは１より大きい正の整数である）個のサブフレームに分布していることを含むことが好ましい。
【００１８】
上記の目的を実現させるために、本発明のもう一つの方面によると、端末が基地局からの端末に割り当てた固定リソースを解除するための固定リソース割当解除情報を運んでいる固定リソース割当シグナリングをデコードし、端末が固定リソース割当解除情報によって後続の固定リソース割当解除操作をするという固定リソース割当シグナリングの受信方法を提供する。
【００１９】
後続固定リソース割当解除操作には、端末がＡ−ＭＡＰメッセージの作用範囲を確定することと、Ａ−ＭＡＰの作用範囲が一つのサブフレームである場合、端末がＡ−ＭＡＰメッセージのある現行サブフレームで固定リソース割当解除操作を実行し、固定リソース割当解除情報のＨＦＡ情報をデコードし、フィードバックチャネル情報を取得し、フィードバックチャネル情報の該当するフィードバックチャネルで基地局にフィードバックメッセージを送信することと、Ａ−ＭＡＰメッセージの作用範囲が１つのサブフレームより大きい場合、端末が固定リソース割当解除情報のリソース割当情報をデコードし、割当解除をする固定リソースの位置を確定し、確定された固定リソースの位置で固定リソース割当解除操作を実行し、端末が固定リソース割当解除情報のＨＦＡ情報をデコードし、フィードバックチャネル情報を取得して、フィードバックチャネル情報の該当するフィードバックチャネルで基地局にフィードバックメッセージを送信することとを含むことが好ましい。
【００２０】
後続固定リソース割当解除操作には、端末がＡ−ＭＡＰメッセージの作用範囲を確定することと、Ａ−ＭＡＰメッセージの作用範囲が一つのサブフレームである場合、端末が固定リソース割当解除情報のＬｏｎｇ  ＴＴＩ  Ｉｎｄｉｃａｔｏｒ情報をデコードし、割当解除をする固定リソースの長さを確定して、確定された割当解除をする固定リソースの長さによって固定リソースの割当解除操作を行い、固定リソース割当解除情報のＨＦＡ情報をデコードし、フィードバックチャネル情報を取得して、フィードバックチャネル情報の該当するフィードバックチャネルで基地局にフィードバックメッセージを送信することとを含むことが好ましい。
【００２１】
本発明の提供する上記の少なくとも一つの技術方案によると、Ａ−ＭＡＰメッセージの作用範囲によって固定リソースの割当解除メッセージを設計することは、現在の技術よりシグナリングオーバーヘッドの節約が図られる。
【図面の簡単な説明】
【００２２】
図面は、本発明を更に理解するためのものであり、明細書の一部を構成し、本発明の実施例と共に本発明を解釈するものであるが、これらの実施例は、本発明を限定するものではない。図面において、
【図１】関連技術に係る固定リソース割り当て過程を示す図である。
【図２】本発明の具体実施例１の固定リソース割り当てを示す図である。
【図３】本発明の具体実施例２の固定リソース割り当てを示す図である。
【図４】本発明の具体実施例３の固定リソース割り当てを示す図である。
【図５】本発明の具体実施例４の固定リソース割り当てを示す図である。
【図６】本発明の具体実施例５の固定リソース割り当てを示す図である。
【図７】本発明の具体実施例６の固定リソース割り当てを示す図である。
【発明を実施するための形態】
【００２３】
以下、図面を参照しながら、本発明の好適な実施例について説明する。互いに衝突がない限り、本発明の実施例及び実施例に記載の特徴を組み合わせることができる。
【００２４】
上記のように、現在の固定リソース割当解除操作において、関連シグナリングの設計をする場合、各シグナリングにそれぞれＲｅｓｏｕｒｃｅ  Ａｌｌｏｃａｔｉｏｎ情報を運ばせたら、シグナリングオーバーヘッドが大きくなる。端末に割当てた固定リソースＰＡ１を解除するシグナリングＰｅｒｓｉｓｔｅｎｔ  Ａ−ＭＡＰ  ＩＥのあるＡ−ＭＡＰメッセージの作用範囲が一つのサブフレーム（一つのフレームにＮ（Ｎは１以上の正の整数である）個のサブフレームを含む）である場合、端末がＲｅｓｏｕｒｃｅ  Ａｌｌｏｃａｔｉｏｎを取得しなくても割当解除をする固定リソースがＰＡ１であることを確定できるので、シグナリングの設計を簡略化にすることが可能である。
【００２５】
これにより、本発明の実施例によると、Ａ−ＭＡＰメッセージの作用範囲によって固定リソースの割当解除情報を設計し、該当固定リソース割当シグナリングが固定リソース割当解除操作を行うことを指示するための割当解除操作指示情報を運ぶほかに、その他の様々な情報も運ぶという固定リソース割当シグナリングの伝送方案を提供する。本発明の実施例において、下記のようないくつかの実現方案を提供し、単独で利用してもよい、組み合わせて利用してもよいが、本発明はこれに限らないことは言うまでもない。
【００２６】
方案一：
Ａ−ＭＡＰメッセージの作用範囲が一つのサブフレームである場合、固定リソース割当解除情報に割当解除操作指示情報を含む。
【００２７】
方案二：
Ａ−ＭＡＰメッセージの作用範囲が一つのサブフレームである場合、固定リソース割当解除情報に割当解除操作指示情報と端末に割当てる基地局からの固定リソース割当解除情報をリスポンスするためのフィードバックチャネル情報を含むＨＦＡ情報を運ぶ。
【００２８】
方案三：
Ａ−ＭＡＰメッセージの作用範囲が一つのサブフレームである場合、固定リソース割当解除情報に、割当解除操作指示情報と、“０”は該固定リソースが一つのサブフレームにあること、“１”は該固定リソースがＮ（Ｎは１より大きい正の整数である）個のサブフレームに分布していることを表すというように、割当解除をする固定リソースの長さを指示するＬｏｎｇ  ＴＴＩ  Ｉｎｄｉｃａｔｏｒ（長い伝送時間間隔指示情報）を含む。
【００２９】
方案四：
Ａ−ＭＡＰメッセージの作用範囲が一つのサブフレームである場合、固定リソース割当解除情報に、割当解除操作指示情報、Ｌｏｎｇ  ＴＴＩ  Ｉｎｄｉｃａｔｏｒ（長い伝送時間間隔指示情報）、ＨＦＡ情報を含む。
【００３０】
方案五：
Ａ−ＭＡＰメッセージの作用範囲がＮ（Ｎは１より大きい正の整数である）個のサブフレームである場合、固定リソース割当解除情報に、割当解除操作指示情報と、端末に割当てる基地局からの固定リソース割当解除情報をリスポンスするためのフィードバックチャネル情報を含むＨＦＡ情報、及び固定割当を解除するリソースのあるサブフレームの番号、初期位置情報、終了位置情報を一つ又は複数含む固定割当を解除するリソースの位置情報、固定割当を解除するリソースのタイプ、固定割当を解除するリソースのサイズを一つまたは複数含むＲｅｓｏｕｒｃｅ  Ａｌｌｏｃａｔｉｏｎ（リソース割当）情報を運ぶ。
【００３１】
方案六：
Ａ−ＭＡＰメッセージの作用範囲がＮ（Ｎは１より大きい正の整数である）個のサブフレームである場合、固定割当解除情報に割当解除操作指示情報、端末に割当てる基地局からの固定リソース割当解除情報をリスポンスするためのフィードバックチャネル情報を含むＨＦＡ情報、Ｌｏｎｇ  ＴＴＩ  Ｉｎｄｉｃａｔｏｒ（長い伝送時間間隔指示情報）、及び固定割当を解除するリソースのあるサブフレームの番号、初期位置情報、終了位置情報を一つまたは複数含む固定割当を解除するリソースの位置情報、固定割当を解除するリソースのタイプ、固定割当を解除するリソースのサイズを一つまたは複数含むリソース割当情報を運ぶ。
【００３２】
その中、Ａ−ＭＡＰメッセージの作用範囲が一つのサブフレームであるというのは、Ａ−ＭＡＰメッセージに一つのダウンリンクサブフレームの制御情報及び／または一つのアップリンクサブフレームの制御情報を含むことであり、即ち、各ダウンリンクサブフレームもＡ−ＭＡＰメッセージを送信するが、ある特殊サブフレームにＡ−ＭＡＰを含まない可能性があるため、各ダウンリンクサブフレームのＡ−ＭＡＰメッセージが一つのアップリンクサブフレームと対応し、つまり、各ダウンリンクサブフレームのＡ−ＭＡＰメッセージが一つのアップリンクサブフレームの固定割当解除を制御するということである。Ａ−ＭＡＰメッセージの作用範囲が複数のサブフレームであるというのは、Ａ−ＭＡＰメッセージに複数のダウンリンクサブフレームの制御情報及び／または複数のアップリンクサブフレームの制御情報を含むことである。
【００３３】
端末について、基地局からの固定リソース割当解除情報を受信した後、メッセージにおける割当解除操作指示情報を取得し、該固定リソース割当解除情報が固定リソースの割当解除操作を指示すると判断したら、次にＡ−ＭＡＰメッセージの作用範囲を判断し、Ａ−ＭＡＰメッセージの作用範囲によって後続の処理を行う。
【００３４】
具体的には、Ａ−ＭＡＰメッセージの作用範囲が一つのサブフレームである場合、Ａ−ＭＡＰメッセージの指示するサブフレームで固定リソースの割当解除操作を実行し、または、選択的に、Ｌｏｎｇ  ＴＴＩ  Ｉｎｄｉｃａｔｏｒを介し、割当解除をする固定リソースの長さを確定して、確定された割当解除をする固定リソースの長さによって割当解除操作を実行し、そしてＨＦＡ情報をデコードすることでフィードバックチャネル情報を確定し、該フィードバックチャネル情報の該当するフィードバックチャネルでフィードバック操作を行う。
【００３５】
Ａ−ＭＡＰメッセージの作用範囲は一つのサブフレームより大きい場合、Ｒｅｓｏｕｒｃｅ  Ａｌｌｏｃａｔｉｏｎをデコードし、デコードで取得した固定リソース情報によって固定リソースの割当解除操作をし、また、端末がＨＦＡ情報をデコードすることでフィードバックチャネル情報を確定し、該フィードバック情報の該当するフィードバックチャネルでフィードバック操作をする。
【００３６】
実施例１
図２に示す通り、基地局がｋ番目のフレームでサブフレーム１におけるＡ−ＭＡＰメッセージの固定リソース割当情報ＤＬ  Ｐｅｒｓｉｓｔｅｎｔ  Ａ−ＭＡＰ  ＩＥを介して端末ＭＳ−Ａにダウンリンク固定リソースＰＡ１（サブフレーム１にある）を割当て、割当期間は（ＡＰ）が４フレームで、端末ＭＳ−Ａに割当てるデーターフィードバックチャネルがＨＦＡ１（サブフレーム５にある）である。
【００３７】
基地局がＡ−ＭＡＰメッセージを送信する期間は一つのサブフレームであり、各Ａ−ＭＡＰメッセージに一つのダウンリンクサブフレームの制御情報を含むことを仮定する。
【００３８】
本実施例において、基地局が（Ｋ＋８）番目のフレームで端末ＭＳ−Ａに対して固定リソース割当解除操作を実行することを仮定し、この場合、基地局が（Ｋ＋８）番目のフレームのサブフレーム１におけるＡ−ＭＡＰメッセージでＤＬ  Ｐｅｒｓｉｓｔｅｎｔ  Ａ−ＭＡＰ  ＩＥを送信し、その中に端末ＭＳーＡに固定リソース割当解除操作をするメッセージを運ぶ。表１は該メッセージの形式の例を示している。
【表１】
2013500647.tif 000003
【００３９】
本実施例において、端末ＭＳ−Ａに割当てるＰＡ１がサブフレーム１にあるため、基地局が（Ｋ＋８）番目のフレームのサブフレーム１におけるＡ−ＭＡＰメッセージで送信したＤＬ  Ｐｅｒｓｉｓｔｅｎｔ  Ａ−ＭＡＰ  ＩＥに端末ＭＳ−Ａに対して固定リソース割当解除操作をするメッセージを運んでいるので、基地局がＤＬ  Ｐｅｒｓｉｓｔｅｎｔ  Ａ−ＭＡＰ  ＩＥにリソース割当解除操作のインジケーター（Ａｌｌｏｃａｔｉｏｎ  Ｐｅｒｉｏｄ＝＝００）及びＨＦＡだけを運べばいいのである。
【００４０】
その中、ＨＦＡに端末に割当てるフィードバックチャネル情報を運び、そしてＨＦＡの指示するフィードバックチャネルが端末ＭＳ−ＡにＰＡ１を割当てる時に割当てられるフィードバックチャネルＨＦＡ１と一致してもよい、一致しなくてもよい。
【００４１】
端末ＭＳ−Ａは基地局が（Ｋ＋８）番目のフレームのサブフレーム１におけるＡ−ＭＡＰメッセージで送信したＤＬ  Ｐｅｒｓｉｓｔｅｎｔ  Ａ−ＭＡＰ  ＩＥを受信し、それをデコードする。端末ＭＳ−Ａは以下の操作を実行するとは、
（１）まずＡｌｌｏｃａｔｉｏｎ  Ｐｅｒｉｏｄ＝＝００としたら、該メッセージは固定リソース割当解除情報であることを確認する。
（２）判断によりＡ−ＭＡＰメッセージの送信期間が一つのサブフレーム、即ち（Ｋ＋８）番目のフレームのサブフレーム１におけるＡ−ＭＡＰの有効作用範囲が本サブフレームであることが分かったら、端末は基地局から送信したＤＬ  Ｐｅｒｓｉｓｔｅｎｔ  Ａ−ＭＡＰ  ＩＥに指示されたリソース割当解除リソースがＰＡ１であることが分かる。
（３）ＨＦＡ情報をデコードし、ＨＦＡが端末ＭＳ−Ａに割当てるフィードバックチャネルでＡＣＫ（該メッセージの受信が成功した）又はＮＡＣＫ（該メッセージの受信が失敗した）というようなリソース割当解除フィードバックリスポンスを送信する。
【００４２】
本実施例の基地局がＡ−ＭＡＰメッセージの作用範囲により固定リソース割当解除情報を設計することで、シグナリングオーバーヘッドの節約を図った上で、端末固定リソースの割当解除を実現するのである。
【００４３】
実施例２
本実施例において、Ａ−ＭＡＰメッセージの送信期間は一つのサブフレームであることを仮定する。
【００４４】
一つのフレームにＮ個のサブフレームを含むとして、その中、ダウンリンクサブフレームがＮＤＬ個、アップリンクサブフレームがＮＵＬ個、そしてＮＤＬ＋ＮＵＬ＝Ｎ、且つＮＤＬ＞＝ＮＵＬに満足する。基地局がＮＤＬ個のダウンリンクサブフレームの中のＮＵＬ個のダウンリンクサブフレームで送信するＡ−ＭＡＰメッセージにそれぞれＮＵＬ個のアップリンクサブフレームの関連制御情報を含む。
本実施例において、Ｎ＝８、ＮＤＬ＝５、ＮＵＬ＝３と仮定する。
【００４５】
図３に示す通り、基地局が五つのダウンリンクサブフレームのサブフレーム１、サブフレーム２とサブフレーム３で送信するＡ−ＭＡＰにそれぞれサブフレーム６、サブフレーム７、サブフレーム８の関係制御情報を含む。
【００４６】
本実施例において、基地局はｋ番目のフレームでサブフレーム１におけるＡ−ＭＡＰメッセージの固定リソース割当情報ＵＬ  Ｐｅｒｓｉｓｔｅｎｔ  Ａ−ＭＡＰ  ＩＥを介して端末ＭＳ−Ａにアップリンク固定リソースＰＡ１（サブフレーム６にある）を割当て、割当期間（ＡＰ）が４フレームであり、割当てたデーターフィードバックチャネルがＨＦＡ１（サブフレーム１にある）である。
【００４７】
本実施例において、基地局が（Ｋ＋８）番目のフレームで端末ＭＳ−Ａに固定リソース割当解除操作をすることを仮定し、この場合、基地局が（Ｋ＋８）番目のフレームのサブフレーム１のＡ−ＭＡＰメッセージでＵＬ  Ｐｅｒｓｉｓｔｅｎｔ  Ａ−ＭＡＰ  ＩＥを送信し、その中に端末ＭＳ−Ａに固定リソース割当解除操作を実行するメッセージを運ぶ。該メッセージの形式例は表２に示す通りである。
【表２】
2013500647.tif 000004
【００４８】
本実施例において、端末ＭＳ−Ａに割当てるＰＡ１がサブフレーム６にあり、基地局が（Ｋ＋８）番目のフレームのサブフレーム１におけるＡ−ＭＡＰメッセージで送信するＰｅｒｓｉｓｔｅｎｔ  Ａ−ＭＡＰ  ＩＥに端末ＭＳ−Ａに対して固定リソース割当解除操作を実行するメッセージを運び、そして基地局が（Ｋ＋８）番目のフレームのサブフレーム１におけるＡ−ＭＡＰメッセージにサブフレーム６の関連制御情報を含んでいるため、基地局はＵＬ  Ｐｅｒｓｉｓｔｅｎｔ  Ａ−ＭＡＰ  ＩＥに割当解除操作インジケーター（Ａｌｌｏｃａｔｉｏｎ  Ｐｅｒｉｏｄ＝＝００）及びＨＦＡを運ぶ必要がある。
【００４９】
その中、ＨＦＡに端末に割当てるフィードバックチャネル情報を運ぶ。
【００５０】
端末ＭＳ−Ａは基地局が（Ｋ＋８）番目のフレームのサブフレーム１におけるＡ−ＭＡＰメッセージで送信したＵＬ  Ｐｅｒｓｉｓｔｅｎｔ  Ａ−ＭＡＰ  ＩＥを受信し、それをデコードする。端末ＭＳ−Ａは下記のような操作を実行するとは、
（１）まずＡｌｌｏｃａｔｉｏｎ  Ｐｅｒｉｏｄ＝＝００としたら、該メッセージは固定リソース割当解除情報であることを確認する。
（２）端末はＡ−ＭＡＰ期間が一つのサブフレームであるかを判断する。本実施例において、Ａ−ＭＡＰ期間は一つのサブフレームである。
（３）端末はＡ−ＭＡＰに一つのアップリンクサブフレームの制御情報しか含まないかを判断する。本実施例において、（ｋ＋８）番目のフレームのサブフレーム１におけるＡ−ＭＡＰにアップリンクサブフレーム６の関係制御情報を含む。それで端末は基地局から送信したＵＬ  Ｐｅｒｓｉｓｔｅｎｔ  Ａ−ＭＡＰ  ＩＥに指示されたリソース割当解除リソースがＰＡ１であることが分かる。
（４）ＨＦＡ情報をデコードし、ＨＦＡが端末ＭＳ−Ａに割当てるフィードバックチャネルでＡＣＫ（該メッセージの受信が成功した）又はＮＡＣＫ（該メッセージの受信が失敗した）というようなリソース割当解除フィードバックリスポンスを送信する。
【００５１】
本実施例において基地局がＡ−ＭＡＰメッセージの作用範囲により固定リソース割当解除情報を設計することで、シグナリングオーバーヘッドの節約を図った上で、端末の固定リソースの割当解除を実現することができる。
【００５２】
実施例３
本実施例において、Ａ−ＭＡＰメッセージの期間は一つのサブフレームであることを仮定する。
【００５３】
一つのフレームにＮ個のサブフレームを含むこととして、その中、ダウンサブフレームがＮＤＬ個で、アップリンクサブフレームがＮＵＬ個、そしてＮＤＬ＋ＮＵＬ＝Ｎ、且つＮＤＬ＜ＮＵＬに満足する場合、基地局はＮＤＬ個のサブフレームで送信するＡ−ＭＡＰメッセージにそれぞれ一つ又は複数のアップリンクサブフレームの関連制御情報を含む。
【００５４】
本実施例において、Ｎ＝８，ＮＤＬ＝３，ＮＵＬ＝５と仮定し、図４に示す通り、ダウンリンクサブフレーム１、サブフレーム２とサブフレーム３の送信するＡ−ＭＡＰメッセージにそれぞれサブフレーム４、サブフレーム５とサブフレーム６、サブフレーム７とサブフレーム８の関連制御情報を含む。
【００５５】
本実施例において、基地局はＫ番目のフレームでサブフレーム１におけるＡ−ＭＡＰメッセージの固定リソース割当情報ＵＬ  Ｐｅｒｓｉｓｔｅｎｔ  Ａ−ＭＡＰ  ＩＥを介して端末ＭＳ−Ａにアップリンク固定リソースＰＡ１（サブフレーム４にある）を割当て、割当期間（ＡＰ）が４フレームで、割当てたフィードバックチャネルはＨＦＡ１（サブフレーム１にある）である。
【００５６】
本実施例において、基地局が（ｋ＋８）番目のフレームで端末ＭＳ−Ａに固定リソース割当解除操作を実行することを仮定し、基地局が（ｋ＋８）番目のフレームのサブフレーム１におけるＡ−ＭＡＰメッセージでＵＬ  Ｐｅｒｓｉｓｔｅｎｔ  Ａ−ＭＡＰ  ＩＥを送信し、その中に端末ＭＳ−Ａに固定リソース割当解除操作を実行するメッセージを運ぶ。該メッセージの形式例は表３に示す通りである。
【表３】
2013500647.tif 000005
【００５７】
本実施例において、端末ＭＡ−Ｓに割当てるＰＡ１がサブフレーム４にあり、基地局が（ｋ＋８）番目のフレームのサブフレーム１におけるＡ−ＭＡＰメッセージで送信するＵＬ  Ｐｅｒｓｉｓｔｅｎｔ  Ａ−ＭＡＰ  ＩＥに端末ＭＳ−Ａに対して固定リソース割当解除操作を実行するメッセージを運ぶため、基地局がＵＬ  Ｐｅｒｓｉｓｔｅｎｔ  Ａ−ＭＡＰ  ＩＥに割当解除操作のインジケーター（Ａｌｌｏｃａｔｉｏｎ  Ｐｅｒｉｏｄ＝＝００）及びＨＦＡを運ぶ必要がある。
【００５８】
その中、ＨＦＡに端末に割当てるフィードバックチャネル情報を運ぶ。
【００５９】
端末ＭＳ−Ａは基地局が（Ｋ＋８）番目のフレームのサブフレーム１におけるＡ−ＭＡＰメッセージで送信したＵＬ  Ｐｅｒｓｉｓｔｅｎｔ  Ａ−ＭＡＰ  ＩＥを受信し、それをデコードする。端末ＭＳ−Ａは下記のような操作を実行することは、
（１）まずＡｌｌｏｃａｔｉｏｎ  Ｐｅｒｉｏｄ＝＝００としたら、該メッセージは固定リソース割当解除情報であることを確認する。
（２）端末はＡ−ＭＡＰ期間が１つのサブフレームであるかを判断する。本実施例において、Ａ−ＭＡＰ期間は１つのサブフレームである。
（３）端末は該Ａ−ＭＡＰが一つのアップリンクサブフレームの制御情報しか含まないかを判断する。本実施例において、（ｋ＋８）番目のフレームのサブフレーム１におけるＡ−ＭＡＰにアップリンクサブフレーム４の関連制御情報を含む。端末は基地局から送信したＵＬ  Ｐｅｒｓｉｓｔｅｎｔ  Ａ−ＭＡＰ  ＩＥに指示されたリソース割当解除リソースがＰＡ１であることが分かる。
（４）ＨＦＡ情報をデコードし、ＨＦＡが端末ＭＳ−Ａに割当てるフィードバックチャネルでＡＣＫ（該メッセージの受信が成功した）又はＮＡＣＫ（該メッセージの受信が失敗した）というようなリソース割当解除フィードバックリスポンスを送信する。
【００６０】
本実施例の基地局はＡ−ＭＡＰメッセージの作用範囲により固定リソース割当解除情報を設計することで、シグナリングオーバーヘッドの節約を図った上で端末固定リソースの割当解除を実現することができる。
【００６１】
実施例４
図５に示す通り、ｋ番目のフレームにおいて、端末ＭＳ−Ａは、割当期間（ＡＰ）が４フレームで、端末ＭＳ−Ａに割当てるデーターフィードバックチャネルがＨＦＡ１（サブフレーム５にある）であるダウンリンク固定リソースＰＡ１（サブフレーム１にある）と、割当期間（ＡＰ）が４フレームで、端末ＭＳ−Ａに割当てるデーターフィードバックチャネルがＨＦＡ２（サブフレーム５にある）であるダウンリンク固定リソースＰＡ２（サブフレーム１、サブフレーム２、サブフレーム３、サブフレーム４、サブフレーム５にある）との、二つのダウンリンク固定リソースを有する。
【００６２】
基地局がＡ−ＭＡＰメッセージを送信する期間は１つのサブフレームで、各Ａ−ＭＡＰにそれぞれ一つのサブフレームの制御情報を含むことを仮定する。
【００６３】
本実施例において、基地局が（ｋ＋８）番目のフレームで端末ＭＳ−ＡのリソースＰＡ１に対して固定リソース割当解除操作を実行することを仮定し、基地局が（Ｋ＋８）番目のフレームのサブフレーム１におけるＡ−ＭＡＰメッセージでＤＬ  Ｐｅｒｓｉｓｔｅｎｔ  Ａ−ＭＡＰ  ＩＥを送信し、そしてその中に端末ＭＳ−Ａに対して固定リソース割当解除操作を実行するメッセージを運ぶ。該メッセージの形式例は表４に示す通りである。
【表４】
2013500647.tif 000006
【００６４】
本実施例において、端末ＭＳ−Ａに割当てるＰＡ１がサブフレーム１にあり、基地局が（Ｋ＋８）番目のフレームのサブフレーム１におけるＡ−ＭＡＰメッセージで送信したＤＬ  Ｐｅｒｓｉｓｔｅｎｔ  Ａ−ＭＡＰ  ＩＥに端末ＭＳ−Ａに対して固定リソース割当解除操作を実行するメッセージを運んでいるため、基地局がＤＬ  Ｐｅｒｓｉｓｔｅｎｔ  Ａ−ＭＡＰ  ＩＥにリソース割当解除操作インジケーター（Ａｌｌｏｃａｔｉｏｎ  Ｐｅｒｉｏｄ＝＝００）、Ｌｏｎｇ  ＴＴＩ  Ｉｎｄｉｃａｔｏｒ及びＨＦＡだけを運べばいいのである。
【００６５】
その中、Ｌｏｎｇ  ＴＴＩ  Ｉｎｄｉｃａｔｏｒは割当解除が必要とする固定リソースの長さを指示する。例えば“０”は該固定リソースが一つのサブフレームにあり、“１”は該固定リソースがＮ（Ｎは１より大きい正の整数である）個のサブフレームにあることを表す。本実施例において、Ｌｏｎｇ  ＴＴＩ  Ｉｎｄｉｃａｔｏｒ＝０であるため、ＰＡ１が一つのサブフレームにあることになる。
【００６６】
その中、ＨＦＡに端末に割当てるフィードバックチャネル情報を運び、そしてＨＦＡに指示されたフィードバックチャネルは端末ＭＳ−Ａに割当てるフィードバックチャネルＨＦＡ１及びＨＦＡ２と一致してもいい、一致しなくてもいいのである。
【００６７】
端末ＭＳ−Ａは基地局が（ｋ＋８）番目のフレームのサブフレーム１におけるＡ−ＭＡＰメッセージで送信したＤＬ  Ｐｅｒｓｉｓｔｅｎｔ  Ａ−ＭＡＰ  ＩＥを受信し、それをデコードする。端末ＭＳ−Ａは下記のような操作を実行することは、
（１）まずＡｌｌｏｃａｔｉｏｎ  Ｐｅｒｉｏｄ＝＝００としたら、該メッセージは固定リソース割当解除情報であることを確認する。
（２）Ａ−ＭＡＰメッセージの送信期間が一つのサブフレーム、即ち（Ｋ＋８）番目のフレームのサブフレーム１のＡ−ＭＡＰの有効作用範囲が本サブフレームであると判断したら、基地局から送信したＤＬ  Ｐｅｒｓｉｓｔｅｎｔ  Ａ−ＭＡＰ  ＩＥに指示されたリソース割当解除リソースがＰＡ１とＰＡ２であることが分かる。
（３）端末はデコードで取得したＬｏｎｇ  ＴＴＩ  Ｉｎｄｉｃａｔｏｒ＝０であることにより割当解除をするリソースが一つのサブフレームにあると確認し、該リソースがＰＡ１であることが分かる。
（４）ＨＦＡ情報をデコードし、ＨＦＡが端末ＭＳ−Ａに割当てるフィードバックチャネルでＡＣＫ（該メッセージの受信が成功した）またはＮＡＣＫ（該メッセージの受信が失敗した）というようなリソース割当解除フィードバックリスポンスを送信する。
【００６８】
本実施例の基地局はＡ−ＭＡＰメッセージの作用範囲により固定リソース割当解除情報を設計することで、シグナリングオーバーヘッドの節約を図った上で、端末固定リソースの割当解除を実現することができる。
実施例５
【００６９】
本実施例において、Ａ−ＭＡＰメッセージの期間は一つのサブフレームであることを仮定する。
【００７０】
一つのフレームにＮ個のサブフレームが含まれ、その中、ダウンリンクサブフレームはＮＤＬ個、アップリンクサブフレームはＮＵＬ個、そしてＮＤＬ＋ＮＵＬ＝Ｎ、且つＮＤＬ＞＝ＮＵＬに満足することとする。この場合、基地局がＮＤＬ個のダウンリンクサブフレームの中のＮＵＬ個ダウンリンクサブフレームで送信するＡ−ＭＡＰメッセージにそれぞれＮＵＬ個アップリンクサブフレームの関連制御情報を含むようにする。本実施例において、Ｎ＝８，ＮＤＬ＝５，ＮＵＬ＝３と仮定する。
【００７１】
図６に示す通り、基地局が五つのダウンリンクサブフレームの中のサブフレーム１、サブフレーム２とサブフレーム３で送信するＡ−ＭＡＰメッセージにそれぞれサブフレーム６、サブフレーム７、サブフレーム８の関連制御情報が含まれることを仮定する。ｋ番目のフレームにおいて、端末ＭＳ−Ａは割当期間（ＡＰ）が４フレームで、割当てるデーターフィードバックチャネルがＨＦＡ１（サブフレーム１にある）であるアップリンク固定リソースＰＡ１（サブフレーム６にある）と、割当期間（ＡＰ）が４フレームで、割当てるフィードバックチャネルがＨＦＡ２（サブフレーム１にある）であるアップリンク固定リソースＰＡ２（サブフレーム６、サブフレーム７、サブフレーム８にある）との、二つのアップリンク固定リソースを有する。
【００７２】
本実施例において、基地局が（ｋ＋８）番目のフレームで端末ＭＳ−ＡのリソースＰＡ１に対して固定リソース割当解除操作を実行することを仮定する。この場合基地局が（ｋ＋８）番目のフレームのサブフレーム１におけるＡ−ＭＡＰメッセージでＵＬ  Ｐｅｒｓｉｓｔｅｎｔ  Ａ−ＭＡＰ  ＩＥを送信し、その中に端末ＭＳ−Ａに固定リソース割当解除操作を実行するメッセージを運ぶ。該メッセージの形式例は表５に示すとおりである。
【表５】
2013500647.tif 000007
【００７３】
本実施例において、端末ＭＳ−Ａに割当てるＰＡ１がサブフレーム６にあり、基地局が（ｋ＋８）番目のフレームのサブフレーム１におけるＡ−ＭＡＰメッセージで送信したＰｅｒｓｉｓｔｅｎｔ  Ａ−ＭＡＰ  ＩＥに端末ＭＳ−Ａに対して固定リソース割当解除操作を実行するメッセージを運ぶため、基地局がＵＬ  Ｐｅｒｓｉｓｔｅｎｔ  Ａ−ＭＡＰ  ＩＥに割当解除操作インジケーター（Ａｌｌｏｃａｔｉｏｎ  Ｐｅｒｉｏｄ＝＝００）Ｌｏｎｇ  ＴＴＩ  Ｉｎｄｉｃａｔｏｒ及びＨＦＡを運ぶ必要がある。
【００７４】
その中、Ｌｏｎｇ  ＴＴＩ  Ｉｎｄｉｃａｔｏｒは割当解除をする固定リソースの長さを指示する。例えば“０”は該固定リソースが一つのサブフレームにあること、“１”は該固定リソースがＮ（Ｎは１より大きい正の整数である）個のサブフレームに分布していることを表す。本実施例においてＰＡ１は一つのサブフレームにあるので、Ｌｏｎｇ  ＴＴＩ  Ｉｎｄｉｃａｔｏｒ＝０ということになる。
【００７５】
その中、ＨＦＡに端末に割当てるフィードバックチャネル情報を運ぶ。
【００７６】
端末ＭＳ−Ａは基地局が（ｋ＋８）番目のフレームのサブフレーム１におけるＡ−ＭＡＰメッセージで送信したＵＬ  Ｐｅｒｓｉｓｔｅｎｔ  Ａ−ＭＡＰ  ＩＥを受信し、それをデコードする。端末ＭＳ−Ａは下記のような操作を実行するとは、
（１）まずＡｌｌｏｃａｔｉｏｎ  Ｐｅｒｉｏｄ＝＝００としたら、該メッセージは固定リソース割当解除情報であることを確認する。
（２）端末はＡ−ＭＡＰの期間が一つのサブフレームであるかを判断する。本実施例において、Ａ−ＭＡＰの期間は一つのサブフレームである。
（３）端末はＡ−ＭＡＰに一つのアップリンクサブフレームしか含まないかを判断する。本実施例において、（ｋ＋８）番目のフレームのサブフレーム１におけるＡ−ＭＡＰにアップリンクサブフレーム６の関連制御情報が含まれる。この場合、端末は基地局が送信したＵＬ  Ｐｅｒｓｉｓｔｅｎｔ  Ａ−ＭＡＰ  ＩＥに指示されたリソース割当解除リソースがＰＡ１又はＰＡ２であることが分かる。
（４）端末はデコードで取得したＬｏｎｇ  ＴＴＩ  Ｉｎｄｉｃａｔｏｒ＝０であることによって、割当解除をするリソースが一つのサブフレームにあり、ＰＡ１であることが分かる。
（５）ＨＦＡ情報をデコードし、ＨＦＡが端末ＭＳ−Ａに割当てるフィードバックチャネルでＡＣＫ（該メッセージの受信が成功した）またはＮＡＣＫ（該メッセージの受信が失敗した）というようなリソース割当解除フィードバックリスポンスを送信する。
【００７７】
本実施例の基地局はＡ−ＭＡＰメッセージの作用範囲によって固定リソース割当解除情報を設計することで、シグナリングオーバーヘッドの節約を図ったうえで、端末固定リソースの割当解除を実現することができた。
【００７８】
実施例６
本実施例において、Ａ−ＭＡＰメッセージの期間は一つのサブフレームであると仮定する。
【００７９】
一つのフレームにＮ個のサブフレームが含まれ、その中、ダウンリンクサブフレームはＮＤＬ個、アップリンクサブフレームはＮＵＬ個で、そしてＮＤＬ  ＋  ＮＵＬ＝Ｎ、且つＮＤＬ＜ＮＵＬに満足することとする。この場合、基地局がＮＤＬ個のダウンリンクサブフレームで送信したＡ−ＭＡＰメッセージにそれぞれ一つ又は複数のアップリンクサブフレームの関連制御情報が含まれるようになる。
【００８０】
本実施例において、図７に示す通り、Ｎ＝８，ＮＤＬ＝３，ＮＵＬ＝５で、ダウンリンクサブフレーム１、サブフレーム２とサブフレーム３で送信したＡ−ＭＡＰメッセージにそれぞれサブフレーム４、サブフレーム５とサブフレーム６、サブフレーム７とサブフレーム８の関連制御情報が含まれることとする。ｋ番目のフレームにおいて、端末ＭＳ−Ａは、割当期間（ＡＰ）が４フレームで、割当てるデーターフィードバックチャネルがＨＦＡ１（サブフレーム１にある）であるアップリンク固定リソースＰＡ１（サブフレーム４にある）と、割当期間（ＡＰ）が４フレームで、割当てるフィードバックチャネルがＨＦＡ２（サブフレーム１にある）であるアップリンク固定リソースＰＡ２（サブフレーム４、サブフレーム５、サブフレーム６、サブフレーム７、サブフレーム８にある）との、二つのダウンリンク固定リソースを有する。
【００８１】
本実施例において、基地局が（Ｋ＋８）番目のフレームで端末ＭＳ−ＡのリソースＰＡ１に対して固定リソース割当解除操作を実行することを仮定し、この場合基地局は（ｋ＋８）番目のフレームのサブフレーム１におけるＡ−ＭＡＰメッセージでＵＬ  Ｐｅｒｓｉｓｔｅｎｔ  Ａ−ＭＡＰ  ＩＥを送信し、その中に端末ＭＳ−Ａに対して固定リソース割当解除操作を実行するメッセージを運ぶ。該メッセージの形式例は表６に示す通りである。
【表６】
2013500647.tif 000008
【００８２】
本実施例において、端末ＭＳ−Ａに割当てるＰＡ１がサブフレーム４にあり、基地局が（Ｋ＋８）番目のフレームのサブフレーム１におけるＡ−ＭＡＰメッセージで送信したＵＬ  Ｐｅｒｓｉｓｔｅｎｔ  Ａ−ＭＡＰ  ＩＥに端末ＭＳ−Ａに対して固定リソース割当解除操作を実行するメッセージを運んでいるため、基地局はＵＬ  Ｐｅｒｓｉｓｔｅｎｔ  Ａ−ＭＡＰ  ＩＥに割当解除操作指示インジケーター（Ａｌｌｏｃａｔｉｏｎ  Ｐｅｒｉｏｄ＝＝００）、Ｌｏｎｇ  ＴＴＩ  Ｉｎｄｉｃａｔｏｒ及びＨＦＡを運ぶ必要がある。
【００８３】
その中、Ｌｏｎｇ  ＴＴＩ  Ｉｎｄｉｃａｔｏｒは割当解除をするリソースの長さを指示する。例えば“０”は該固定リソースが一つのサブフレームにあること、”１”は該固定リソースがＮ（Ｎは１より大きい正の整数である）個のサブフレームに分布していることを表す。本実施例においてＰＡ１は一つのサブフレームにあり、つまりＬｏｎｇ  ＴＴＩ  Ｉｎｄｉｃａｔｏｒ＝０ということである。
【００８４】
その中、ＨＦＡに端末に割当てるフィードバックチャネル情報を運ぶ。
【００８５】
端末ＭＳ−Ａは基地局が（ｋ＋８）番目のフレームのサブフレーム１におけるＡ−ＭＡＰメッセージで送信したＵＬ  Ｐｅｒｓｉｓｔｅｎｔ  Ａ−ＭＡＰ  ＩＥを受信し、それをデコードする。端末ＭＳ−Ａは下記のような操作を実行するとは、
（１）まずＡｌｌｏｃａｔｉｏｎ  Ｐｅｒｉｏｄ＝＝００としたら、該メッセージは固定リソース割当解除情報であることを確認する。
（２）端末はＡ−ＭＡＰ期間が一つのサブフレームであるかを判断する。本実施例において、Ａ−ＭＡＰ期間は一つのサブフレームである。
（３）端末は該Ａ−ＭＡＰに一つのアップリンクサブフレームの制御情報しか含まないかを判断する。本実施例において、（Ｋ＋８）番目のフレームのサブフレーム１におけるＡ−ＭＡＰにアップリンクサブフレーム４の関連制御情報を含む。この場合、端末は基地局から送信したＵＬ  Ｐｅｒｓｉｓｔｅｎｔ  Ａ−ＭＡＰ  ＩＥに指示されたリソース割当解除リソースがＰＡ１又はＰＡ２であることが分かる。
（４）端末はデコードで取得したＬｏｎｇ  ＴＴＩ  Ｉｎｄｉｃａｔｏｒ＝０であることによって、割当解除をするリソースが一つのサブフレームにあり、ＰＡ１であることが分かる。
（５）ＨＦＡ情報をデコードし、ＨＦＡが端末ＭＳ−Ａに割当てるフィードバックチャネルでＡＣＫ（該メッセージの受信が成功した）またはＮＡＣＫ（該メッセージの受信が失敗した）というようなリソース割当解除フィードバックリスポンスを送信する。
【００８６】
本実施例の基地局はＡ−ＭＡＰメッセージの作用範囲によって固定リソース割当解除情報を設計することで、シグナリングオーバーヘッドの節約を図ったうえで、端末固定リソースの割当解除を実現することができる。
【００８７】
本発明の実施例に提供した技術方案の少なくとも一つによって、Ａ−ＭＡＰメッセージの作用範囲により固定リソース割当解除情報の設計をすることは、現在の技術よりシグナリングオーバーヘッドの節約が図られ、そして現行システム構成を修正しなくても実現できるので、産業上の利用可能性が大きいことである。
【００８８】
以上は本発明の好適実施例に過ぎず、本発明を限定するものではない。当業者であれば、本発明に様々な修正や変形が可能である。本発明の精神や原則内での如何なる修正、置換え、改良などは本発明の保護範囲内に含まれる。
【図１】
2013500647.tif 000009
【図２】
2013500647.tif 000010
【図３】
2013500647.tif 000011
【図４】
2013500647.tif 000012
【図５】
2013500647.tif 000013
【図６】
2013500647.tif 000014
【図７】
2013500647.tif 000015
【国際調査報告】
2013500647.tif 000016
2013500647.tif 000017
2013500647.tif 000018
2013500647.tif 000019
2013500647.tif 000020
2013500647.tif 000021
2013500647.tif 000022